(57)【特許請求の範囲】
【請求項１】
試験機に対して回動自在に装着されるねじ部と、そのねじ部に対してねじ込まれ、当該ねじ部の回動により軸方向に変位するチャックフレームと、そのチャックフレームの内側に形成された互いに対向する斜面からなるくさび面にそれぞれ摺接し、かつ、移動阻止部材により上記軸方向への変位が規制された一対のつかみ歯を備え、上記ねじシャフトの回動によるチャックフレームの変位により、一対のつかみ歯が開閉するように構成された定位置くさび式つかみ具において、
上記チャックフレームをその自重に抗して上方に向けて付勢するばねを備えていることを特徴とする定位置くさび式つかみ具。
【発明の詳細な説明】
【０００１】
【発明の属する技術分野】
本発明は、材料試験機に装着されて試験片の両端部を把持するためのつかみ具に関し、更に詳しくは、定位置くさび式つかみ具に関する。
【０００２】
【従来の技術】
材料試験機の試験片の両端部を把持するためのつかみ具として、定位置くさび式つかみ具が知られている。定位置くさび式つかみ具は、一対のつかみ歯をチャックフレームに形成されたくさび面に摺接させ、チャックフレームを移動させることによって、くさび効果を利用してつかみ歯を開閉するとともに、この開閉に際しては、各つかみ歯を開閉方向以外に移動させない構成を採る。図４および図５にその構成例を示す。図４は正面図であり、図５はその背面図である。
【０００３】
試験機に対して端末継手４１を介して回動自在にねじ部４２ａを備えたねじシャフト４２を装着し、このねじシャフト４２のねじ部４２ａにチャックフレーム４３がねじ込まれる。このチャックフレーム４３には互いに対向する斜面からなるくさび面４３ａ，４３ｂが形成され、試験片の端部を把持するための歯面ｔが形成された一対のつかみ歯４４ａ，４４ｂは、その各歯面ｔの反対側の辺に形成されている斜面ｓをそのチャックフレーム４３のくさび面４３ａ，４３ｂにそれぞれ摺動自在に接触させた状態でチャックフレーム４３内に配置される。
【０００４】
ねじシャフト４２にはハンドルＨが設けられているとともに、このねじシャフト４２の中心を内部シャフト４５が貫通している。この内部シャフト４５は、基部に挿入されたスプリングピン４６により端末継手４１に対して回動不能とされ、その先端には歯具保持具４７が固着されている。一対のつかみ歯４４ａ，４４ｂには、それぞれ凹部が形成されており、この凹部内に歯具保持具４７が嵌まり込むことによって、各つかみ歯４４ａ，４４ｂが上下方向への移動を阻止された状態で支持されている。
【０００５】
また、チャックフレーム４３の背面側には、内部シャフト４５に対して固定された背面ガイド板４８が設けられており、この背面ガイド板４８の存在により、チャックフレーム４３は内部シャフト４５に対して、従って端末継手４１に対して回動不能となっている。
【０００６】
以上の構成において、ハンドルＨを回してねじシャフト４２を回転させると、このねじシャフト４２のねじ部４２ａにねじ込まれ、かつ、回転不能とされているチャックフレーム４３が上下動、つまり端末継手４１に対して接近／離隔する向きに移動する。このチャックフレーム４３を端末継手４１に接近する向きに移動させると、歯具保持具４７によってその方向には移動不能に支持され、かつ、チャックフレーム４３のくさび面４３ａ，４３ｂに背面ｓが摺接している各つかみ歯４４ａ，４４ｂが互いに接近して試験片Ｗを把持し、また、その逆側、つまり端末継手４１から離隔する向きにチャックフレーム４３を移動させると、各つかみ歯４４ａ，４４ｂは互いに離隔して試験片Ｗを開放する。
【０００７】
以上は負荷軸を鉛直方向とした一対のつかみ具のうち上側のつかみ具について説明しているが、下側のつかみ具についても同等の構成を採り、上下のつかみ具によって試験片Ｗの両端を把持する。
【０００８】
【発明が解決しようとする課題】
ところで、以上のような定位置くさび式つかみ具においては、チャックフレーム４３はその全重量がねじシャフト４２のねじ部４２ａにかかっているため、チャックフレーム４３の重量に比例してハンドルＨを回すために必要とする力が増大する。従って、チャックフレーム４３が軽量である場合には特に問題はないが、チャックフレーム４３の重量が大きくなると、ねじシャフト４２のねじ部４２ａとチャックフレーム４３との摩擦力が大きくなって、ハンドルＨを回すための力が大きくなるという問題がある。
【０００９】
ここで、ハンドルＨは、試験片Ｗを片手で持って位置決めを行った状態で、その端部をつかみ歯４４ａ，４４ｂで把持すべく回すものであるため、片手で回さざるを得ない場合が多く、ハンドルＨの回動に要する力が増大すると作業性、作業効率の上で重要な問題となる。
【００１０】
本発明はこのような実情に鑑みてなされたもので、チャックフレーム４３の重量が大きくなっても、つかみ歯４４ａ，４４ｂを開閉させるためのハンドルＨを回転させるために要する力が少なくてすむ定位置くさび式つかみ具の提供を目的としている。
【００１１】
【課題を解決するための手段】
上記の目的を達成するため、本発明の定位置くさび式つかみ具は、試験機に対して回動自在に装着されるねじ部と、そのねじ部に対してねじ込まれ、当該ねじ部の回動によりそのこのねじシャフトの軸方向に変位するチャックフレームと、そのチャックフレームの内側に形成された互いに対向する斜面からなるくさび面にそれぞれ摺接し、かつ、移動阻止部材により上記軸方向への変位が規制された一対のつかみ歯を備え、上記ねじシャフトの回動によるチャックフレームの上記軸方向への変位により、一対のつかみ歯が開閉するように構成された定位置くさび式つかみ具において、上記チャックフレームをその自重に抗して上方に向けて付勢するばねを備えていることによって特徴づけられる。
【００１２】
本発明は、チャックフレームをばねで吊り上げることによって、ねじ部にかかるチャックフレームの重量を軽減するものであり、チャックフレームをその自重に抗してばねで上方に向けて付勢することにより、ねじ部に作用する重量が少なくなって当該ねじ部とチャックフレーム間に働く摩擦力が小さくなり、ハンドルを回すのに必要とする力を少なくすることができる。
【００１３】
【発明の実施の形態】
以下、図面を参照しつつ本発明の実施の形態について説明する。
図１は本発明を上側のつかみ具に適用した実施の形態の部分断面図で、図２はその背面図である。
【００１４】
この例は、基本的な構成は前記した図４，図５に示したものと同等であり、試験機に対して装着される端末継手１には、ハンドルＨを備え、かつ、ねじ部２ａが形成されたねじシャフト２が回動自在に支持されており、そのねじシャフト２のねじ部２ａにチャックフレーム３がねじ込まれている。チャックフレーム３には、互いに対向する斜面からなるくさび面３ａ，３ｂが形成されており、その内側に一対のつかみ歯４ａ，４ｂが設けられている。各つかみ歯４ａ，４ｂは、試験片Ｗを把持するための歯面ｔを備えるとともに、その反対側の辺が斜面ｓとなっており、この斜面ｓがチャックフレーム３の各くさび面３ａ，３ｂに摺動自在に当接している。
【００１５】
ねじシャフト２は中空状となっており、その内側を内部シャフト５が貫通している。内部シャフト５は５は、スプリングピン６により端末継手１に対する回動ができないようになっており、その先端には、せん断ねじ７ａによって歯具保持具７が取り付けられている。そして、各つかみ歯４ａ，４ｂに形成されている凹部４１ａ，４１ｂに、この歯具保持具７が嵌まり込むことによって各つかみ歯４ａ，４ｂが支持され、この歯具保持具７が各つかみ歯４ａ，４ｂの上下方向への移動を阻止する阻止部材の役割を担っている。
【００１６】
チャックフレーム３の背面側には、内部シャフト５に対してて間接的に固定された背面ガイド板８が設けられており、チャックフレーム３には、この背面ガイド板８を、若干の隙間を以て摺動自在に抱き込む一対のガイド板押さえ３１ａ，３１ｂが固定されている。この構成により、チャックフレーム３の端末継手１に対する回動が阻止されると同時に、チャックフレーム３がガイド板押さえ３１ａ，３１ｂを介して背面ガイド板８にガイドされつつ上下動できるようになっている。
【００１７】
背面ガイド板８とチャックフレーム３の背面には、それぞれ２本ずつのばね取り付け棒９ａ，９ｂおよび９ｃ，９ｄが固着されており、このうち、ばね取り付け棒９ａと９ｃ、および９ｂと９ｄは、それぞれ鉛直線上に位置し、それぞれ引張コイルばね１０ａ，１０ｂの両端部が取り付けられている。
【００１８】
以上の構成において、ハンドルＨを回してねじシャフト２を回動させることにより、回動が阻止されたチャックフレーム３が上下動し、このチャックフレーム３の上下動によって、そのくさび面３ａ，３ｂにそれぞれ斜面ｓが当接し、かつ、歯具保持具７によって上下動が阻止された一対のつかみ歯４ａ，４ｂが互いに接近／離隔する向きに移動する。
【００１９】
そして、この実施の形態においては、このつかみ歯４ａ，４ｂの開閉操作時において、チャックフレーム３が２本の引張コイルばね１０ａ，１０ｂによって常時上方に向けて付勢されているため、チャックフレーム３の自重はその分軽減される結果、ねじシャフト２のねじ部２ａに対する摩擦力が少なくなり、チャックフレーム３の重量が大きくてもハンドル２ａを回転させるのに要する力が少なくてすむ。
【００２０】
ここで、以上の例は、本発明を上側のつかみ具に適用した例を示したが、下側のつかみ具にも同様に適用することができる。この場合、ねじシャフト２はチャックフレーム３の下方に位置するため、チャックフレーム３をつり上げるための引張コイルばね１０ａ，１０ｂを取り付けるためのばね取り付け棒９ａ，９ｂ，９ｃ，９ｄは、図３に背面図を示すように、チャックフレーム３の基端部を吊り上げるようにすればよい。
【００２１】
【発明の効果】
以上のように、本発明によれば、ハンドルを回すことによってねじ部を回転させ、そのねじ部にねじ込まれているチャックフレームを上下動させることによって一対のつかみ歯を開閉させる定位置くさび式つかみ具において、チャックフレームをその自重に抗して上方に向けて付勢するばねを設けているので、ねじ部にかかるチャックフレームの重量がその分だけ軽くなる結果、ねじ部とチャックフレームの間に作用する摩擦力が軽減され、つかみ歯を開閉させるべくハンドルを回転させるのに必要な力を少なくすることができる。その結果、チャックフレームの重量が大きくなっても、ハンドルを回す力が少なくてすみ、操作性に優れたつかみ具が得られる。
【図面の簡単な説明】
【図１】本発明を上側のつかみ具に適用した実施の形態の部分断面正面図である。
【図２】図１の背面図である。
【図３】本発明を下側のつかみ具に適用した実施の形態の背面図である。
【図４】従来の定位置くさび式つかみ具の部分断面正面図である。
【図５】図５の背面図である。
【符号の説明】
１  端末継手
２  ねじシャフト
２ａ  ねじ部
３  チャックフレーム
３ａ，３ｂ  くさび面
４ａ，４ｂ  つかみ歯
５  内部シャフト
７  歯具保持具
８  背面ガイド板
９ａ〜９ｄ  ばね取り付け棒
１０ａ，１０ｂ  引張コイルばね
Ｈ  ハンドル
Ｗ  試験片
【図１】
0004506925.tif 000002
【図２】
0004506925.tif 000003
【図３】
0004506925.tif 000004
【図４】
0004506925.tif 000005
【図５】
0004506925.tif 000006